(57)【要約】【課題】上下長が相違する複数種類のゴミ容器を保持することができる構造の容器保持スタンドを提供する。【解決手段】本体保持機構１１０と蓋体開閉機構１３０との少なくとも一方が上下調節機構１４０により上下方向に変位自在に支持されていることにより、閉止状態の容器蓋体２２０と容器本体２１０との相対位置を上下方向に変位させることができるので、上下長が相違する複数種類のゴミ容器２００を保持することができる。【選択図】図１
2008019072.tif 000002
【特許請求の範囲】
【請求項１】
上面が開口している容器本体と前記開口を開閉自在に閉止する容器蓋体からなるゴミ容器を保持する容器保持スタンドであって、
前記容器本体を着脱自在に保持する本体保持機構と、
前記容器蓋体を着脱自在に把持する蓋体把持機構と、
前記蓋体把持機構を上下方向に回動自在に支持している蓋体開閉機構と、
前記本体保持機構と前記蓋体開閉機構との少なくとも一方を上下方向に変位自在に支持している上下調節機構と、
を有する容器保持スタンド。
【請求項２】
前記上下調節機構は、
前記本体保持機構を上下方向に移動自在に支持している上下移動機構と、
前記移動自在な前記本体保持機構をロックする移動ロック機構と、
を有する請求項１に記載の容器保持スタンド。
【請求項３】
前記上下調節機構は、
前記蓋体開閉機構を上下方向に移動自在に支持している上下移動機構と、
前記移動自在な前記蓋体開閉機構をロックする移動ロック機構と、
を有する請求項１に記載の容器保持スタンド。
【請求項４】
前記本体保持機構は、
前記容器本体の下面を支持する下面支持部材と、
前記容器本体の前面下部を支持する前面支持部材と、
前記前面支持部材を前後方向に移動自在に支持している前後移動機構と、
を有する請求項１ないし３の何れか一項に記載の容器保持スタンド。
【請求項５】
上面が開口している容器本体と前記開口を開閉自在に閉止する容器蓋体からなるゴミ容器を保持する容器保持スタンドであって、
前記容器蓋体を着脱自在に把持する蓋体把持機構と、前記蓋体把持機構を上下方向に回動自在に支持している蓋体開閉機構と、前記容器本体を着脱自在に保持する本体保持機構と、を有し、
前記本体保持機構は、
前記容器本体の下面を支持する下面支持部材と、
前記容器本体の前面下部を支持する前面支持部材と、
前記前面支持部材を前後方向に移動自在に支持している前後移動機構と、
を有する容器保持スタンド。
【請求項６】
前記本体保持機構は、
前記容器本体の下面を支持する下面支持部材と、
前記容器本体の左面下部を支持する左面支持部材と、
前記容器本体の右面下部を支持する右面支持部材と、
前記左面支持部材と前記右面支持部材とを左右方向に移動自在に支持している左右移動機構と、
を有する請求項１ないし５の何れか一項に記載の容器保持スタンド。
【請求項７】
上面が開口している容器本体と前記開口を開閉自在に閉止する容器蓋体からなるゴミ容器を保持する容器保持スタンドであって、
前記容器蓋体を着脱自在に把持する蓋体把持機構と、前記蓋体把持機構を上下方向に回動自在に支持している蓋体開閉機構と、前記容器本体を着脱自在に保持する本体保持機構と、を有し、
前記本体保持機構は、
前記容器本体の下面を支持する下面支持部材と、
前記容器本体の左面下部を支持する左面支持部材と、
前記容器本体の右面下部を支持する右面支持部材と、
前記左面支持部材と前記右面支持部材とを左右方向に移動自在に支持している左右移動機構と、
を有する容器保持スタンド。
【請求項８】
前記左右移動機構は、前記左面支持部材と前記右面支持部材とを左右対称に移動させる請求項６または７に記載の容器保持スタンド。
【請求項９】
前記蓋体開閉機構は、
少なくとも前記本体保持機構より下方かつ前方に配置されている足踏ペダルと、
前記足踏ペダルを上下方向に揺動自在に支持しているペダル支持機構と、
前記足踏ペダルが下方に揺動されると前記蓋体把持機構を上方に回動させる開閉連動機構と、
を有する請求項１ないし８の何れか一項に記載の容器保持スタンド。
【請求項１０】
前記蓋体開閉機構は、前記蓋体把持機構の重力による下方への回動を減速させるダンパ機構を有する請求項１ないし９の何れか一項に記載の容器保持スタンド。
【請求項１１】
前記容器蓋体は、外周部が下面開口のＵ字形の断面形状に形成されており、
前記蓋体把持機構は、前記容器蓋体の外周部に下方から係合する断面形状が矩形の凸状部材を有する請求項１ないし１０の何れか一項に記載の容器保持スタンド。
【請求項１２】
前記容器蓋体は、外周部が下面開口のＵ字形の断面形状に形成されており、
前記蓋体把持機構は、前記容器蓋体の外周部に上方から係合する断面形状が三角状の凹状部材を有する請求項１ないし１１の何れか一項に記載の容器保持スタンド。
【発明の詳細な説明】
【技術分野】
【０００１】
本発明は、容器本体と容器蓋体からなるゴミ容器を保持する容器保持スタンドであって、特に、各種の形状および寸法のゴミ容器を保持することができる容器保持スタンドに関する。
【背景技術】
【０００２】
従来、容器本体と容器蓋体からなるゴミ容器を保持する容器保持スタンドがある。このような容器保持スタンドは、例えば、本体保持機構、蓋体把持機構、蓋体開閉機構、足踏ペダル、ペダル支持機構、開閉連動機構、等からなる。
【０００３】
このような容器保持スタンドでは、本体保持機構により容器本体が着脱自在に保持される。蓋体開閉機構により蓋体把持機構が上下方向に回動自在に支持されており、この蓋体把持機構により容器蓋体が着脱自在に把持される。
【０００４】
また、足踏ペダルは、本体保持機構より下方かつ前方に配置されており、ペダル支持機構により上下方向に揺動自在に支持されている。そして、足踏ペダルが下方に揺動されると開閉連動機構により蓋体把持機構を上方に回動される。
【０００５】
なお、本体保持機構は、容器本体の下面を支持する下面支持部材と、容器本体の前面下部を支持する前面支持部材と、容器本体の左面下部を支持する左面支持部材と、容器本体の右面下部を支持する右面支持部材と、を有する。
【０００６】
上述のような容器保持スタンドでは、ゴミ容器の容器本体に対して容器蓋体を開閉自在に支持することができる。しかも、その容器蓋体の開閉を足踏ペダルにより操作することができる。さらに、容器本体の下部の下面と前面と左面と右面とが支持されるので、容器本体を良好に保持することができる(例えば、特許文献１〜３参照)。
【特許文献１】特開２００５−３０６５２６号公報
【特許文献２】特開２００１−０４８３０３号公報
【特許文献３】実開平０６−０６５３０６号公報
【発明の開示】
【発明が解決しようとする課題】
【０００７】
しかし、上述の特許文献１〜３の容器保持スタンドは、閉止状態の容器蓋体と容器本体との相対位置が固定されている。従って、上下長が相違する複数種類のゴミ容器を保持することができない。
【０００８】
しかも、上述の特許文献１〜３の容器保持スタンドは、容器本体の前面下部を支持する前面支持部材も固定されている。従って、前後幅が相違する複数種類のゴミ容器を保持することもできない。
【０００９】
さらに、上述の特許文献１〜３の容器保持スタンドは、容器本体の左面下部を支持する左面支持部材と右面下部を支持する右面支持部材も固定されている。従って、左右幅が相違する複数種類のゴミ容器を保持することもできない。
【００１０】
つまり、上述の特許文献１〜３の容器保持スタンドは、上下長も前後幅も左右幅も規定されている、特定のゴミ容器しか保持することができない。
【００１１】
本発明は上述のような課題に鑑みてなされたものであり、上下長や前後幅や左右幅が相違する複数種類のゴミ容器を保持することができる容器保持スタンドを提供するものである。
【課題を解決するための手段】
【００１２】
本発明の第一の容器保持スタンドは、上面が開口している容器本体と開口を開閉自在に閉止する容器蓋体からなるゴミ容器を保持する容器保持スタンドであって、容器本体を着脱自在に保持する本体保持機構と、容器蓋体を着脱自在に把持する蓋体把持機構と、蓋体把持機構を上下方向に回動自在に支持している蓋体開閉機構と、本体保持機構と蓋体開閉機構との少なくとも一方を上下方向に変位自在に支持している上下調節機構と、を有する。
【００１３】
従って、本発明の容器保持スタンドでは、本体保持機構が、容器本体を着脱自在に保持する。蓋体把持機構が、容器蓋体を着脱自在に把持する。蓋体開閉機構が、蓋体把持機構を上下方向に回動自在に支持している。上下調節機構が、本体保持機構と蓋体開閉機構との少なくとも一方を上下方向に変位自在に支持している。このため、閉止状態の容器蓋体と容器本体との相対位置を上下方向に変位させることができる。
【００１４】
本発明の第二の容器保持スタンドは、上面が開口している容器本体と開口を開閉自在に閉止する容器蓋体からなるゴミ容器を保持する容器保持スタンドであって、容器蓋体を着脱自在に把持する蓋体把持機構と、蓋体把持機構を上下方向に回動自在に支持している蓋体開閉機構と、容器本体を着脱自在に保持する本体保持機構と、を有し、本体保持機構は、容器本体の下面を支持する下面支持部材と、容器本体の前面下部を支持する前面支持部材と、前面支持部材を前後方向に移動自在に支持している前後移動機構と、を有する。
【００１５】
従って、本発明の容器保持スタンドでは、下面支持部材が、容器本体の下面を支持する。前面支持部材が、容器本体の前面下部を支持する。前後移動機構が、前面支持部材を前後方向に移動自在に支持している。このため、容器本体の前面下部の支持位置を前後に変位させることができる。
【００１６】
本発明の第三の容器保持スタンドは、上面が開口している容器本体と開口を開閉自在に閉止する容器蓋体からなるゴミ容器を保持する容器保持スタンドであって、容器蓋体を着脱自在に把持する蓋体把持機構と、蓋体把持機構を上下方向に回動自在に支持している蓋体開閉機構と、容器本体を着脱自在に保持する本体保持機構と、を有し、本体保持機構は、容器本体の下面を支持する下面支持部材と、容器本体の左面下部を支持する左面支持部材と、容器本体の右面下部を支持する右面支持部材と、左面支持部材と右面支持部材とを左右方向に移動自在に支持している左右移動機構と、を有する。
【００１７】
従って、本発明の容器保持スタンドでは、左面支持部材が、容器本体の左面下部を支持する。右面支持部材が、容器本体の右面下部を支持する。左右移動機構が、左面支持部材と右面支持部材とを左右方向に移動自在に支持している。このため、容器本体の左面下部と右面下部との支持位置を左右に変位させることができる。
【００１８】
なお、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１９】
また、本発明では前後左右の方向を規定しているが、これは本発明の構成要素の相対関係を簡単に説明するために便宜的に規定したものであり、本発明を実施する場合の製造時や使用時の方向を限定するものではない。
【００２０】
さらに、本発明で云うＵ字状とは、並列な一対の線形の部分と、これらの部分の一端を連結する部分と、が連続している形状を意味しており、その一対の部分を連結している部分は湾曲していても線形でもよい。
【発明の効果】
【００２１】
本発明の第一の容器保持スタンドでは、本体保持機構と蓋体開閉機構との少なくとも一方が上下調節機構により上下方向に変位自在に支持されていることにより、閉止状態の容器蓋体と容器本体との相対位置を上下方向に変位させることができるので、上下長が相違する複数種類のゴミ容器を保持することができる。
【００２２】
本発明の第二の容器保持スタンドでは、前面支持部材が前後移動機構により前後方向に移動自在に支持されていることにより、容器本体の前面下部の支持位置を前後に変位させることができるので、前後幅が相違する複数種類のゴミ容器を保持することができる。
【００２３】
本発明の第三の容器保持スタンドでは、左面支持部材と右面支持部材とが左右移動機構により左右方向に移動自在に支持されていることにより、容器本体の左面下部と右面下部との支持位置を左右に変位させることができるので、左右幅が相違する複数種類のゴミ容器を保持することができる。
【発明を実施するための最良の形態】
【００２４】
本発明の実施の一形態を図面を参照して以下に説明する。なお、本実施の形態では図示するように前後左右の方向を規定して説明するが、構成要素の相対関係を簡単に説明するために便宜的に規定するものであり、本発明を実施する場合の製造時や使用時の方向を限定するものではない。
【００２５】
本実施の形態の容器保持スタンド１００は、図１および図２に示すように、上面が開口している容器本体２１０と開口を開閉自在に閉止する容器蓋体２２０からなるゴミ容器２００を保持する。
【００２６】
このため、本実施の形態の容器保持スタンド１００は、図１ないし図３に示すように、容器本体２１０を着脱自在に保持する本体保持機構１１０と、容器蓋体２２０を着脱自在に把持する蓋体把持機構１２０と、蓋体把持機構１２０を上下方向に回動自在に支持している蓋体開閉機構１３０と、本体保持機構１１０と蓋体開閉機構１３０との少なくとも一方を上下方向に変位自在に支持している上下調節機構１４０と、を有する。
【００２７】
さらに、図３および図４に示すように、本体保持機構１１０は、下面支持部材１１１、前面支持部材１１２、前後移動機構１１３、右面支持部材１１４、左面支持部材１１５、左右移動機構１１６、を有する。
【００２８】
上下調節機構１４０は、上下移動機構１４１、移動ロック機構１４２、を有する。蓋体開閉機構１３０は、図１および図２に示すように、足踏ペダル１３１、ペダル支持機構１３２、開閉連動機構１３３、ダンパ機構１３４、を有する。
【００２９】
より具体的には、本実施の形態の容器保持スタンド１００は、図１ないし図３に示すように、前後方向に細長い中空の角管からなるベース部材１５１を有し、このベース部材１５１から前後左右に脚部１５２が突設されている。ベース部材１５１の後端には、上下方向に中空の角管からなる支柱部材１５３が立設されている。
【００３０】
本体保持機構１１０の下面支持部材１１１は、左右両側が上方に曲折された金属板からなり、容器本体２１０の下面を支持する。下面支持部材１１１の後部には、上下方向に開口した角管状の上下移動機構１４１が一体に形成されている。
【００３１】
この上下移動機構１４１は、支柱部材１５３にスライド自在に装着されているので、これで本体保持機構１１０が上下移動機構１４１により上下方向に移動自在に支持されている。
【００３２】
さらに、図４および図５に示すように、上下移動機構１４１の左側面には、クランプ機構からなる移動ロック機構１４２が装着されている。この移動ロック機構１４２は、図５に示すように、手動レバー１４３とリンク機構１４４と圧接部材１４５とを有する。
【００３３】
手動レバー１４３が手動操作されるとリンク機構１４４により圧接部材１４５が支柱部材１５３の左側面に圧接される。このため、移動ロック機構１４２は、上下方向に移動自在な本体保持機構１１０を解除自在にロックする。
【００３４】
図３等に示すように、前面支持部材１１２は、容器本体２１０の前面下部を支持する形状に曲折された金属棒からなる。前後移動機構１１３は、長手方向が前後方向となる状態で、下面支持部材１１１の上面左右に配置された一対の金属管からなる。
【００３５】
前面支持部材１１２の左右両端は後方に曲折されており、前後移動機構１１３にスライド自在に挿入されている。このため、前面支持部材１１２は、前後方向に移動自在に支持されている。
【００３６】
右面支持部材１１４は、容器本体２１０の右面下部および下面右部を支持する形状に曲折された金属棒からなり、左面支持部材１１５は、容器本体２１０の左面下部および下面左部を支持する形状に曲折された金属棒からなる。
【００３７】
左右移動機構１１６は、図４に示すように、下面支持部材１１１の下面に回転自在に軸支されたピニオンギヤ１１７と、このピニオンギヤ１１７に前方および後方から個々に係合している一対のラックギヤ１１８，１１９とを有する。
【００３８】
ラックギヤ１１８は右面支持部材１１４に連結されており、ラックギヤ１１９は左面支持部材１１５に連結されている。このため、右面支持部材１１４と左面支持部材１１５とは、左右移動機構１１６により左右対称に移動自在に支持されている。
【００３９】
図６に示すように、蓋体把持機構１２０は、断面形状が矩形の凸状部材１２１と、断面形状が三角状の凹状部材１２２と、手動操作されるクランプ機構１２３と、を有する。容器蓋体２２０は、容器本体２１０の上端と係合するように、外周部２２１が下面開口のＵ字形の断面形状に形成されている。
【００４０】
そこで、蓋体把持機構１２０の凸状部材１２１は、容器蓋体２２０の外周部２２１に下方から係合し、凹状部材１２２は、容器蓋体２２０の外周部２２１に上方から係合する。なお、凸状部材１２１の上縁と凹状部材１２２の下縁とは、上下位置が一致している。
【００４１】
クランプ機構１２３は、容器蓋体２２０の外周部２２１に係合した凹状部材１２２と凸状部材１２１とを加圧して保持する。このため、蓋体把持機構１２０は、容器蓋体２２０を着脱自在に把持する。
【００４２】
この蓋体把持機構１２０の後部は、軸支機構からなる蓋体開閉機構１３０を介して支柱部材１５３の上端に連結されている。このため、蓋体把持機構１２０は蓋体開閉機構１３０により上下方向に回動自在に支持されている。
【００４３】
蓋体開閉機構１３０のペダル支持機構１３２は、ベース部材１５１の内部に配置された帯鋼からなり、前後端部が上下に揺動するように軸支されている。ペダル支持機構１３２の前端はベース部材１５１の前端開口から前方に突出しており、足踏ペダル１３１が装着されている。
【００４４】
このため、足踏ペダル１３１は、本体保持機構１１０より下方かつ前方に配置されており、足踏ペダル１３１を上下方向に揺動自在に支持されている。開閉連動機構１３３は、支柱部材１５３の内部に配置された帯鋼からなる。
【００４５】
開閉連動機構１３３は、下端がペダル支持機構１３２の後端に連結されており、上端が蓋体把持機構１２０の底部に連結されている。このため、開閉連動機構１３３は、足踏ペダル１３１が下方に揺動されると、蓋体把持機構１２０を上方に回動させる。
【００４６】
ダンパ機構１３４は、支柱部材１５３の後面下部に配置されている。ダンパ機構１３４は、ペダル支持機構１３２の後端に連結されている。このため、ダンパ機構１３４は、蓋体把持機構１２０の重力による下方への回動を減速させる。
【００４７】
上述のような構成において、本実施の形態の容器保持スタンド１００では、ゴミ容器２００の容器本体２１０が本体保持機構１１０により保持され、容器蓋体２２０が蓋体把持機構１２０により把持されて蓋体開閉機構１３０により上下方向に回動自在に支持される。このため、容器本体２１０の上面開口に容器蓋体２２０を開閉自在に配置することができる。
【００４８】
ただし、本実施の形態の容器保持スタンド１００では、上下調節機構１４０により、本体保持機構１１０が上下方向に変位自在に支持されている。このため、閉止状態の容器蓋体２２０と容器本体２１０との相対位置を上下方向に変位させることができる。従って、本実施の形態の容器保持スタンド１００は、上下長が相違する複数種類のゴミ容器２００を保持することができる。
【００４９】
特に、蓋体把持機構１２０および蓋体開閉機構１３０の上下位置は変化させることなく本体保持機構１１０の上下位置を変化させる。このため、容器本体２１０の上面開口を最適な上下位置に維持することができる。
【００５０】
また、本実施の形態の容器保持スタンド１００は、容器本体２１０の前面下部を支持する前面支持部材１１２が、前後移動機構１１３により前後方向に移動自在に支持されている。このため、前後幅が相違する複数種類のゴミ容器２００も保持することができる。
【００５１】
さらに、容器本体２１０の右面下部を支持する右面支持部材１１４と、容器本体２１０の左面下部を支持する左面支持部材１１５とが、左右移動機構１１６により左右方向に移動自在に支持されている。このため、左右幅が相違する複数種類のゴミ容器２００も保持することができる。
【００５２】
特に、右面支持部材１１４と左面支持部材１１５とが左右対称に移動される。このため、煩雑な操作を必要とすることなく、ゴミ容器２００を左右方向で適切に配置することができる。
【００５３】
本実施の形態の容器保持スタンド１００は、上述のように保持できるゴミ容器２００の前後幅と左右幅と上下長とを個々に調節できるので、各種形状のゴミ容器２００を良好に保持することができる。
【００５４】
さらに、本実施の形態の容器保持スタンド１００は、上述のように上下方向に移動自在な本体保持機構１１０を移動ロック機構１４２によりロックする。このため、ゴミ容器２００の容器本体２１０を保持した本体保持機構１１０が落下することを防止できる。
【００５５】
また、本実施の形態の容器保持スタンド１００では、足踏ペダル１３１が足裏で下方に押圧されると容器蓋体２２０が上方に回動される。このため、簡単な操作で容器蓋体２２０を開放させて容器本体２１０にゴミを投入することができる。
【００５６】
足裏による足踏ペダル１３１の押圧が解除されると、容器蓋体２２０は重力により容器本体２１０に閉止される。ただし、この閉止の速度はダンパ機構１３４により減速される。このため、本実施の形態の容器保持スタンド１００では、容器蓋体２２０が過剰な速度で容器本体２１０に閉止されることを防止できる。
【００５７】
また、本実施の形態の容器保持スタンド１００では、蓋体把持機構１２０が断面矩形の凸状部材１２１と断面三角の凹状部材１２２とで容器蓋体２２０の外周部２２１を把持する。このため、容器蓋体２２０の断面形状を利用して、容器蓋体２２０を適切な位置に把持することができる。
【００５８】
なお、本発明は本実施の形態に限定されるものではなく、その要旨を逸脱しない範囲で各種の変形を許容する。例えば、上記形態では蓋体開閉機構１３０等の位置を固定したまま、本体保持機構１１０を上下方向に移動させることを例示した。
【００５９】
しかし、本体保持機構１１０の位置を固定したまま、蓋体開閉機構１３０等の位置を上下方向に移動させることも不可能ではない。その場合、例えば、支柱部材１５３と開閉連動機構１３３とを伸縮自在に形成しておけばよい(図示せず)。
【００６０】
また、上記形態では左右移動機構１１６が右面支持部材１１４と左面支持部材１１５とを左右対称に移動させることを例示した。しかし、右面支持部材１１４と左面支持部材１１５とが左右方向に個別に移動されてもよい。
【００６１】
その場合、例えば、右面支持部材１１４と左面支持部材１１５と一方をロックするロック機構を設けることがよい(図示せず)。すると、右面支持部材１１４と左面支持部材１１５とのロックされた一方に容器本体２１０を当接させておき、その容器本体２１０に他方を当接させることができる。
【００６２】
さらに、上記形態では前面支持部材１１２により容器本体２１０の前面のみ支持することを例示した。しかし、容器本体２１０の後面を支持する部材を、例えば、支柱部材１５３の前面などに形成しておいてもよい(図示せず)。
【００６３】
また、上記形態では本体保持機構１１０を上下方向に移動自在に支持している上下移動機構１４１をクランプ機構からなる移動ロック機構１４２でロックすることを例示した。
【００６４】
しかし、例えば、上下移動機構１４１に貫通孔を形成してナットを固定しておき、そのナットに螺合させたボルトを支柱部材１５３の外面に圧接させることでも、移動ロック機構(図示せず)を形成することができる。
【００６５】
同様に、支柱部材１５３に上下方向に一列に貫通孔を形成しておき、上下移動機構１４１のナットに螺合させたボルトを支柱部材１５３の貫通孔に係合させることでも、移動ロック機構(図示せず)を形成することができる。
【００６６】
さらに、支柱部材に装着したラックギヤと上下移動機構に装着したウォームギヤとを係合させておき、そのウォームギヤをクランクで回転させるようなことでも、移動ロック機構(図示せず)を形成することができる。この場合、クランクの手動操作により本体保持機構１１０を上下させて保持することができる。
【００６７】
また、支柱部材の上端に手動ウインチを装着しておき、その手動ウインチと上下移動機構をワイヤで連結しておくようなことでも、移動ロック機構(図示せず)を形成することができる。この場合、手動ウインチの手動操作により本体保持機構１１０を上下させて保持することができる。
【００６８】
さらに、上記形態では足踏ペダル１３１の揺動と蓋体把持機構１２０の回動とを、リンク機構からなるペダル支持機構１３２や開閉連動機構１３３で連動させることを例示した。
【００６９】
しかし、このように足踏ペダル１３１の揺動と蓋体把持機構１２０の回動とを連動させる機構を、ベルトやワイヤやギヤなどを利用して形成してもよい(図示せず)。また、ペダル支持機構１３２や開閉連動機構１３３にロック機構を追加することにより(図示せず)、容器蓋体２２０を開放状態や閉止状態に保持することを可能とすることもできる。
【００７０】
また、上記形態では蓋体把持機構１２０が断面矩形の凸状部材１２１と断面三角の凹状部材１２２とで容器蓋体２２０の外周部２２１を適切な位置に把持することを例示した。しかし、凸状部材１２１と凹状部材１２２との一方が上記形状ならば他方は平坦でも容器蓋体２２０の外周部２２１を適切な位置に把持することができる。
【００７１】
さらに、上記形態ではゴミ容器２００の容器本体２１０と容器蓋体２２０とが樹脂で形成されていることを想定した。しかし、このようなゴミ容器が、いわゆるダンボールで形成されていてもよい。
【００７２】
その場合、例えば、容器蓋体はダンボールの平板となる。しかし、蓋体把持機構１２０は、凸状部材１２１の上縁と凹状部材１２２の下縁との上下位置が一致している。このため、蓋体把持機構１２０は、容器蓋体２２０のＵ字形の外周部２２１だけでなく、容器蓋体の単純な平板状の部分も良好に把持することができる。
【００７３】
さらに、上記形態では上下移動機構１４１の左側面にクランプ機構からなる移動ロック機構１４２が装着されていることを例示した。しかし、このような移動ロック機構の構造や配置も各種とすることができる。
【００７４】
また、上記形態では前面支持部材１１２が断面円形の金属棒からなり、前後移動機構１１３が円筒形の金属管からなることを例示した。しかし、前面支持部材１１２の断面形状や前後移動機構１１３の開口形状が矩形などとなっていてもよい。さらに、必要な強度や耐久性を確保できるならば、その材質も樹脂等でもよい。
【００７５】
同様に、右面支持部材１１４および左面支持部材１１５も断面円形の金属棒からなり、前後移動機構１１３が円筒形の金属管からなることを例示した。しかし、その断面形状が矩形などとなっていてもよく、必要な強度や耐久性を確保できるならば材質が樹脂等でもよい。
【図面の簡単な説明】
【００７６】
【図１】本発明の実施の形態の容器保持スタンドでゴミ容器を保持した状態を示す側面図である。
【図２】容器保持スタンドで保持された容器本体に対して容器蓋体が開放された状態を示す側面図である。
【図３】容器保持スタンドの外観を示す斜視図である。
【図４】本体保持機構の部分を示し、(ａ)は平面図、(ｂ)は正面図、である。
【図５】上下調節機構の部分を示し、(ａ)は背面図、(ｂ)は側面図、である。
【図６】蓋体把持機構および蓋体開閉機構の部分を示し、(ａ)は側面図、(ｂ)は正面図、である。
【符号の説明】
【００７７】
１００    容器保持スタンド
１１０    本体保持機構
１１１    下面支持部材
１１２    前面支持部材
１１３    前後移動機構
１１４    右面支持部材
１１５    左面支持部材
１１６    左右移動機構
１１７    ピニオンギヤ
１１８    ラックギヤ
１１９    ラックギヤ
１２０    蓋体把持機構
１２１    凸状部材
１２２    凹状部材
１２３    クランプ機構
１３０    蓋体開閉機構
１３１    足踏ペダル
１３２    ペダル支持機構
１３３    開閉連動機構
１３４    ダンパ機構
１４０    上下調節機構
１４１    上下移動機構
１４２    移動ロック機構
１４３    手動レバー
１４４    リンク機構
１４５    圧接部材
１５１    ベース部材
１５２    脚部
１５３    支柱部材
２００    ゴミ容器
２１０    容器本体
２２０    容器蓋体
２２１    外周部
【図１】
2008019072.tif 000003
【図２】
2008019072.tif 000004
【図３】
2008019072.tif 000005
【図４】
2008019072.tif 000006
【図５】
2008019072.tif 000007
【図６】
2008019072.tif 000008